(57)【要約】【課題】ユーザの希望に応じて、外部アンテナに応じた電力を容易に供給できるようにすることにより、アンテナ選択の自由度を広げることができる受信装置を提供する【解決手段】  セットトップボックス１は、外部のアンテナ２から放送信号を入力して、放送信号を処理するチューナブロック４と、外部に接続するアンテナ２へ直流電源を供給する内蔵電源５と、直流の外部電源を接続するＤＣジャック３を備える。ＤＣジャック３は、前記外部電源が入力された場合には、内蔵電源の供給を外部電源１０１に切り換える。アンテナ２の電源容量が内蔵電源では不足する場合には、ＡＣアダプタ１０１を、ＤＣプラグ１０３を介して接続する。ＡＣアダプタ１０１を接続すると、ＤＣジャック３は、内蔵電源５から外部電源のＡＣアダプタ１０１へ、内部の接続を切り換える。  【選択図】図１
2009105742.tif 000002
【特許請求の範囲】
【請求項１】
外部のアンテナから放送信号を入力して、放送信号を処理するメインブロックを備えた受信装置において、
外部に接続するアンテナおよび前記メインブロックへ直流電源を供給する内蔵電源と、
直流の外部電源を接続する電源入力部を備え、
前記電源入力部は、前記外部電源が入力された場合には、前記内蔵電源によるアンテナへの電源供給を外部電源に切り換える受信装置。
【請求項２】
前記電源入力部は、前記アンテナの放送信号を伝達するケーブルに接続されて、前記ケーブルには、直流電圧と前記放送信号とが重畳し、
前記ケーブルと、前記メインブロックとの間には、直流電圧を遮断して、前記放送信号を前記メインブロックへ伝送する分離部を備える請求項１に記載の受信装置。
【請求項３】
前記分離部は、コンデンサーである請求項２に記載の受信装置。
【請求項４】
前記内蔵電源は、消費電力量に関する所定の規格に適合する請求項１〜３に記載の受信装置。
【請求項５】
請求項４に記載の受信装置を備える受信システムにおいて、
前記受信装置の内蔵電源から電力の供給を受けて、放送信号を受信する標準アンテナと、
前記電源入力部に接続する外部電源と、を備え、
前記標準アンテナ、前記外部電源をそれぞれ選択的に前記受信装置に接続し、
前記標準アンテナ以外のアンテナであって、前記内蔵電源の容量を超える使用電力のアンテナを用いるときは、前記外部電源をこのアンテナへの電源供給に使用する受信システム。
【請求項６】
外部のアンテナから、放送信号を入力して、放送信号を処理するメインブロックを備えた受信装置であって、外部に接続するアンテナへ直流電源を供給する内蔵電源と、直流の外部電源を接続する電源入力部であって、前記外部電源が入力された場合には、内蔵電源の供給を外部電源に切り換える電源入力部と、を備える受信装置と、
前記電源入力部に接続する、１つまたは複数の外部電源と、を用いるアンテナへの電源供給方法において、
アンテナに必要な電源容量を計算する第１ステップと、
前記電源容量が内蔵電源で十分か否か判断する第２ステップと、
前記第２ステップで、前記電源容量が内蔵電源で十分でない場合には、アンテナに必要な外部電源を選択し、この外部電源を前記電源入力部に接続する第３ステップと、を実行するアンテナへの電源供給方法。
【請求項７】
請求項４に記載の受信装置を備える受信システムの販売方法において、
前記受信装置の内蔵電源から電力の供給を受けて、放送信号を受信する標準アンテナが接続できる旨と、ユーザの希望により前記電源入力部に外部電源を接続できる旨と、前記内蔵電源の容量を超える使用電力のアンテナを用いるときは、前記外部電源をこのアンテナへの電源供給に使用する旨と、を広告に掲載する第１ステップと、
前記受信装置と、ユーザの要望に合わせて、前記標準アンテナまたは前記外部電源を販売する第２ステップと、を実行する受信システムの販売方法。
【発明の詳細な説明】
【技術分野】
【０００１】
本発明は、アンテナから放送信号を受信する受信装置、アンテナへの電源供給方法に関する。
【背景技術】
【０００２】
従来、セットトップボックス（Set Top Box）、チューナ、テレビ、ＤＶＤプレーヤ等の放送信号を受信して、映像信号を出力する受信装置は、慣例的に、アンテナへの電源供給を、受信装置の内蔵電源から供給していた。
【０００３】
また、近年、環境保護、節電の観点から、消費電力量が所定基準以下とする規格が定められており、これに適合する商品には、その規格のロゴを貼り付けることができる。この規格としては、例えば、エナジースターなどがある。
【０００４】
一方、特許文献１には、外部アンテナで受信した放送信号を室内で再度送信するマイクロ波・ミリ波送信装置が開示されている。これによれば、室内でのテレビの設置の自由度を高めることができる。この文献には、ＡＣアダプタを介して、外部のパラボラアンテナに電源を供給するため、パラボラアンテナのＩＦ信号（intermediate frequency 中間周波数）と、パラボラアンテナへの電源供給を重畳させたマイクロ波・ミリ波送信装置が開示されている。このように電源にＩＦ信号を重畳することにより、電源ケーブルと放送信号のケーブルを共通にすることができる。
【特許文献１】特開２００４−０７２１８７公報
【発明の開示】
【発明が解決しようとする課題】
【０００５】
しかしながら、従来では、ユーザがアンテナを購入する際には、受信装置側の内蔵電源の容量を確認する必要があった。容量を確認した結果、内蔵電源の容量が不足する場合には、ユーザは、受信感度のよくても電力を多く消費するアンテナの購入をあきらめざるを得なかった。
【０００６】
また、これらの受信装置には、必ずしも、その受信装置推奨の、例えば自社のアンテナが接続されるとは限らず、ユーザの選択により、推奨外のアンテナが接続される可能性がある。特に、アンテナの受信状況が良くない地域では、よりきれいな画像で受信するためには、より強力なアンテナを設置することが望ましい。
【０００７】
このような他社のアンテナが接続される場合を考慮して、受信装置のメーカーが内蔵電源を大きく設計すると、上記規格外になる虞があった。特に、米国のカリフォルニア州へ受信装置を輸出し、または使用する場合には、制限が厳しい。
【０００８】
また、単にアンテナ用電源を外部電源にすると、確かに内蔵電源だけでは規格内になる。しかし、外部電源なしの装置、即ち、アンテナに電源を供給しない受信装置では、装置として事実上成立しない。結局は、外部電源が必要になり、外部電源なしの装置は、規格を潜脱する虞があった。
【０００９】
このように、標準装備で上記規格に従いつつ、より自由度の高いアンテナの選択ができることが望まれている。
【００１０】
そこで、本発明は、ユーザの希望に応じて、外部アンテナに応じた電力を容易に供給できるようにすることにより、アンテナ選択の自由度を広げることができる受信装置を提供することを目的とする。
【課題を解決するための手段】
【００１１】
上記課題を解決するために、以下の構成を備えることができる。
【００１２】
（１）  外部のアンテナから放送信号を入力して、放送信号を処理するメインブロックを備えた受信装置において、
外部に接続するアンテナおよび前記メインブロックへ直流電源を供給する内蔵電源と、
直流の外部電源を接続する電源入力部であって、前記外部電源が入力された場合には、前記内蔵電源によるアンテナへの電源供給を外部電源に切り換える電源入力部と、を備える。
【００１３】
この構成によれば、アンテナへ電源を供給するため内蔵電源を用いることができるが、電源入力部を介して、選択的に外部電源を用いることができる。したがって、ユーザが購入したアンテナにあわせて、必要な電源を選択できるので、アンテナの選択の自由度を広げることができる。一方、従来は、受信装置内部の電源に合わせてアンテナを選択していたので、アンテナの選択の制限が大きかった。
【００１４】
（２）  前記電源入力部は、前記アンテナの放送信号を伝達するケーブルに接続されて、前記ケーブルには、直流電圧と前記放送信号とが重畳し、
前記ケーブルと、前記メインブロックとの間には、直流電圧を遮断して、前記放送信号を前記メインブロックへ伝送する分離部を備える。
【００１５】
この構成では、前記ケーブルは直流電圧と前記放送信号とが重畳し、メインブロックには、電源の直流成分を遮断して、前記アンテナの放送信号が伝送される。したがって、電源ケーブル、信号ケーブルの両方を設けることを要しない。
【００１６】
（３）  前記分離部は、コンデンサーであるとしてもよい。
【００１７】
（４）  前記内蔵電源は、消費電力量に関する所定の規格に適合するものとするのが好ましい。
【００１８】
このようにすれば、内蔵電源を用いる受信装置単体では、その規格を遵守しつつ、外部電源を選択的に接続して、ユーザが選択したアンテナにあわせて、外部電源を選択することが可能になる。
【００１９】
（５）  請求項４に記載の受信装置と、を備える受信システムにおいて、
前記受信装置の内蔵電源から電力の供給を受けて、放送信号を受信する標準アンテナと、
前記電源入力部に接続する外部電源と、を備え、
前記標準アンテナ、前記外部電源をそれぞれ選択的に前記受信装置に接続し、
前記標準アンテナ以外のアンテナであって、前記内蔵電源の容量を超える使用電力のアンテナを用いるときは、前記外部電源をこのアンテナへの電源供給に使用する。
【００２０】
このシステムによれば、内蔵電源により標準アンテナへ電源を供給するので、外部電源を用いなくても、受信システムとして完結している。したがって、上記規格を潜脱するものではない。即ち、内蔵電源を用いる受信装置単体では、その規格を遵守することができる。また、外部電源を選択的に接続して、ユーザが選択したアンテナに合わせて、外部電源を選択することが可能になる。
【００２１】
なお、「選択的に」とは、標準アンテナ、外部電源を択一的に接続するという限定ではない。両方を接続してもよい。また、前記標準アンテナ以外でも、内蔵電源で電力供給可能であれば、標準アンテナ、外部電源のいずれも接続しないことも可能である。
【００２２】
（６）  外部のアンテナから、放送信号を入力して、放送信号を処理するメインブロックを備えた受信装置であって、外部に接続するアンテナへ直流電源を供給する内蔵電源と、直流の外部電源を接続する電源入力部であって、前記外部電源が入力された場合には、内蔵電源の供給を外部電源に切り換える電源入力部と、を備える受信装置と、
前記電源入力部に接続する、１つまたは複数の外部電源と、を用いるアンテナへの電源供給方法において、
アンテナに必要な電源容量を計算する第１ステップと、
前記電源容量が内蔵電源で十分か判断する第２ステップと、
前記第２ステップで、前記電源容量が内蔵電源で十分でない場合には、アンテナに必要な外部電源を選択し、この外部電源を前記電源入力部に接続する第３ステップと、を実行する。
【００２３】
この構成によれば、内蔵電源でアンテナへの電力供給が不足する場合には、電源入力部を介して、選択的に外部電源を用いることができる。したがって、ユーザが購入したアンテナにあわせて、必要な電源を選択できるので、アンテナの選択の自由度を広げることができる。
【００２４】
（７）  請求項４に記載の受信装置を備える受信システムの販売方法において、
前記受信装置の内蔵電源から電力の供給を受けて、放送信号を受信する標準アンテナが接続できる旨と、ユーザの希望により前記電源入力部に外部電源を接続できる旨と、前記内蔵電源の容量を超える使用電力のアンテナを用いるときは、前記外部電源をこのアンテナへの電源供給に使用する旨と、を広告に掲載する第１ステップと、
前記受信装置と、ユーザの要望に合わせて、前記標準アンテナまたは前記外部電源を販売する第２ステップと、を実行する。
【００２５】
この方法によれば、受信装置の購入者は、受信装置に外部電源を接続でき、前記内蔵電源の容量を超える使用電力のアンテナを用いるときは、前記外部電源をこのアンテナへの電源供給に使用する旨を把握できる。これにより、受信装置のメーカーは、標準アンテナを使用する限りは、所定の規格、例えば、エナジースターを遵守することができる。一方、購入者は、別途購入したアンテナに合わせて、外部電源を選択し、受信装置に接続することができる。したがって、購入者は、購入者がすでにアンテナを選択した場合でも、容易に外部電源を選択し、アンテナにあわせた電源を購入できる。また、内蔵電源の制約を受けることが少なく、より自由にアンテナを選択できる。なお、この方法は単なる取り決めではなくて、受信装置を上記のとおり構成することを前提として可能になるものであって、自然法則を利用するものである。
【発明の効果】
【００２６】
本発明によれば、ユーザの希望に応じて、容易に外部アンテナに応じた電力を供給できる受信装置を提供できる。その結果、ユーザは、内蔵電源の制約を受けることが少なく、より自由にアンテナを選択できる。
【発明を実施するための最良の形態】
【００２７】
図１を用いて、本発明の実施形態にかかる受信システム１０について説明する。図１（Ａ）は、正面図、図１（Ｂ）は、背面図、図１（Ｃ）は、回路図である。
【００２８】
受信システム１０は、セットトップボックス１（Set Top Box、以下ＳＴＢと略す。）、アンテナ２、およびＡＣアダプタ１０１を備えている（ＡＣアダプタ１０１は、図１（Ａ）では、省略している。）。ＳＴＢ１には、アンテナ２が接続されている。
【００２９】
図１（Ａ）に示すように、ＳＴＢ１の正面には、表示パネル１１０、複数の操作ボタン１１１、電源ボタン１１２を備えている。電源ボタン１１２を押したときには、ＳＴＢ１が起動し、操作ボタン１１１の操作を受け付ける。表示パネルには、ＳＴＢ１の状態を表示する。
【００３０】
図１（Ｂ）に示すように、アンテナ２は、Ｆコネクタ１４を介して接続されている。ＳＴＢ１を起動する電源は、電源プラグ１２を介して、商用電源に接続されている。ＤＣジャック３は、外部からアンテナ２の補助電源を入力する電源端子である。ＤＣジャック３には、補助電源であるＡＣアダプタ１０１を接続する。ＡＣアダプタ１０１は、ＤＣ変換部１０２、ＤＣプラグ１０３、電源プラグ１０６を備え、これらは、第２電源ケーブル１０４、１０５で接続されている。ＳＴＢ１のＤＣジャック３には、ＤＣプラグ１０３を挿入する。
【００３１】
次に、図１（Ｃ）を用いて、ＳＴＢ１の回路について説明する。ＳＴＢ１は、チューナブロック４、内蔵電源５、ＤＣジャック３、Ｆコネクタ１４、端子１６、第１ダイオード１６、コンデンサー１７、第２ダイオード１８、およびグラウンドＧとを備える。
【００３２】
チューナブロック４は、アンテナ２から入力した放送信号を処理する。例えば、放送信号からＲＧＢの色調を取り出し、出力する。また、チューナブロック４をデジタルチューナブロックとした場合は、トランスポートストリーム、または、デジタルのＭＰＥＧ形式の映像データおよび音声データ、または、映像データ、音声データをデコードして、アナログに変換した映像信号および音声信号を取り出すものとしてもよい。いずれにせよ、チューナブロック４は、この放送信号を処理するブロックであればよい。
【００３３】
なお、このブロックは、本発明のメインブロックに相当する。
【００３４】
内蔵電源５は、電源プラグ１２から入力した商用電源から、チューナブロック４、アンテナ２に電力を供給する電源である。内蔵電源５は、ＤＣジャック３に接続されておいる。ＤＣジャック３にＤＣプラグ１０３が接続されていない場合には、ＤＣジャック３の内部で端子Ｂと端子Ｓが接触する。また、この場合には、内蔵電源５は、端子１６、Ｆコネクタ１４を介して、アンテナ２に電源を供給する。一方、ＤＣジャック３にＤＣプラグ１０３が接続されたときは、ＤＣプラグ１０３の端子が差し込まれることに対応して、ＤＣジャック３の内部で端子Ｐと端子Ｓの接触が離れる。これにより、内蔵電源５からの電源供給は停止し、ＤＣプラグ１０３から、ＡＣアダプタ１０１の電源供給がなされる。
【００３５】
第１ダイオード１５は、ＤＣジャック３から端子１６へ流れる方向を順方向として接続されている。これにより、第１ダイオード１５から、ＤＣジャック３への電流の逆流を防ぐ。端子１６は、Ｆコネクタ１４を介してアンテナ２に接続されている。また、端子１６は、第１ダイオード１５、第２ダイオード１７、コンデンサー１８と接続されている。
【００３６】
内蔵電源または外部電源は、アンテナ２に電力を供給する。そして、アンテナ２で受信した放送信号が端子１６に伝送される。上述のとおり、アンテナ２のケーブルには、Ｆコネクタ１４を介して直流電流が供給されているから、このケーブルには、放送信号と直流電流が重畳している。これにより、アンテナ２への電源の供給と、放送新号の信号線を共用できる。
【００３７】
第２ダイオード１７、コンデンサー１８は、内蔵電源５または、外部電源のＡＣアダプタ１０１から入力した電源がチューナブロック４側への流入するのを遮断する。一方、コンデンサー１８は、交流の放送信号を伝送する。このように構成しているので、アンテナ２のケーブルが、アンテナ２を動作させる直流電圧と、アンテナ２の信号電圧を重畳していても、チューナブロック４に放送信号のみを伝送でき、ブロック４に支障は生じない。
【００３８】
なお、第２ダイオード１７は、必ずしもなくてもよく、コンデンサー１８のみであってもよい。このようにしても、直流成分を遮断し、放送新号の交流成分を伝達できる。また、第１ダイオード１５は、内部の保護用であって、本発明の実施形態としては、必ずしも備えることを要しない。
【００３９】
次に図２を用いて、ＤＣジャック３と、ＤＣジャック３に差し込んで接続するＤＣプラグ１０３の構造例について説明する。
【００４０】
図２（Ａ）は、ＤＣジャック３を示している。ＤＣジャック３は、本体３０、つば部３１、内部端子３２、電極である各端子Ｓ、Ｂ、Ｐを備えている。本体３１は、中空状の円筒であり、端子Ｓ、Ｂを本体の後端（ＤＣプラグ１０３の挿入口と反対側）で固定している。つば部３１は、リング状部材であり、本体３０に一体形成されている。つば部３１をＳＴＢ１本体に固定することにより、ＤＣジャック３をＳＴＢ１本体に固定できる。内部端子３２は、本体３０の空洞内部に同軸に形成されている。内部端子３２は、端子Ｐに接続されている。
【００４１】
ここで、ＤＣジャック３にＤＣプラグ１０３が差し込まれていない場合、差し込まれた場合の各作用について説明する。ＤＣプラグ１０３が挿入されていないときは、端子Ｓ、Ｂは、接点３３で接触している。これにより、内蔵電源５は、端子Ｂ、接点３３、端子Ｓを介して、アンテナ２に電力を供給する。
【００４２】
ＤＣプラグ１０３が挿入されると、ＤＣプラグ１０３の両電極と、内部端子３２、端子Ｓとがそれぞれ接触する。また、これと同時に、端子Ｓは、外周側の方向３６へ撓る（しなる）。これにより、接点３３において、端子Ｓ、Ｂの接触が離れる。内蔵電源５は、端子Ｂ、端子Ｓを介して、アンテナ２に電力を供給しているから、ＤＣプラグ１０３が差し込まれると、内蔵電源５による電力の供給は遮断される。これと同時に、ＡＣアダプタ１０１の外部電源から、アンテナ２へ電力の供給がなされる。
【００４３】
図２（Ｂ）に回路図を掲げる。ＤＣプラグ１０３が挿入されると、端子Ｓは端子Ｂと離れる。Ｂから内蔵電源５を供給しているので、これが挿入されると、この電源供給は遮断される。また、同時に端子Ｐ，Ｓは、ＤＣプラグ１０３の各端子と接続するから、外部電源が、内蔵電源５に代わって電力を供給する。
【００４４】
図２（Ｃ）にＤＣプラグ１０３の構造の例を掲げる。ＤＣプラグ１０３は、内部が空洞の本体１０６と、これと一体形成されている円筒部１０７と、その外周に外部端子１０８、内周に内部端子１０９を備えている。端子１０８、１０９からは、引き出し電極１０８１、１０９１が引き出されている。これらの引き出し電極は、本体１０６内部で第２電源ケーブル１０４と接続されている。ＤＣジャック３にＤＣプラグ１０３を差し込んだときは、外部端子１０８が端子Ｓと、端子１０９が内部端子３２と導通する。
【００４５】
次に、ＳＴＢ１の内蔵電源、外部電源の設計方法について説明する。アンテナ選択の自由度をユーザに与える観点からすれば、従来のように「内蔵電源の制約に合わせたアンテナの選択をする」ではなく、「アンテナに合わせた電力を供給する」ことが望ましい。そこで、ＤＣプラグ１０３から、必要に応じて、外部電源のＡＣアダプタ１０１をＤＣプラグ１０３から供給する。外部電源の供給に当たっては、アンテナ２に供給する容量の異なる複数の外部電源（ＡＣアダプタ１０１）を予め用意して、これを選定する。
【００４６】
また、内蔵電源５は、所定の省電力プログラム規格、例えばエナジースターに適合するように設計するのが望ましい。そして、この規格に適合するために、内蔵電源５を用いて動作する、標準仕様のアンテナ２を設計するのが望ましい。他社のアンテナは、チューナブロック４の事情を把握していないが、自社でアンテナを設計すれば、規格を満たすようなアンテナを設計することが可能となる。これにより、アンテナ２として、内蔵電源５で起動する標準仕様のものが存在するから、ＳＴＢ１が外部電源のＡＣアダプタ１０１がなくても成立することになる。したがって、このように設計すれば、規格を潜脱するものではない。
【００４７】
次に図３のフロー図を用いて、これらの電源の選定方法について説明する。この選定には、ＳＴ１１〜ＳＴ１３のステップを予め実行しておく。ＳＴ１１〜ＳＴ１２は、ＳＴＢ１を製造するメーカーが設計し、ＳＴ１３は、ユーザ、またはサービスマンが行う。
【００４８】
ＳＴ１１では、メーカーは、消費電力量の規格に適合するよう内蔵電源を設計する。また、この内蔵電源で稼動する標準仕様のアンテナを設計する。これにより、たとえ外部電源を選択的に用いるとしても、標準セットとしては、規格に適合することになる。
【００４９】
ＳＴ１２で、メーカーは、標準仕様のアンテナ以外の（他社の）アンテナに必要な電源容量を調査する。また、この容量にあわせて、複数の外部電源を用意する。実際の販売形態としては、後述するように、例えば、ＳＴＢ１のオプションとして、標準アンテナと外部電源をカタログに掲載して販売し、ユーザがこれらを選択的に購入するものとすることができる。このように、受信システム１０は、ＳＴＢ１のほかに、標準アンテナ、ＡＣアダプタ１０１、（および他社の購入品のアンテナ）をそれぞれ選択的に備えるものであり、実装上は、必ずしもこれらすべてを備える必要はない。
【００５０】
ＳＴ１３で、ユーザまたはサービスマンがアンテナを選定する。
ＳＴ２１で、ＳＴ１３で選定したアンテナに必要な電源容量を計算する。
ＳＴ２２で、ＳＴ１４で計算した電源容量が、内蔵電源で十分供給可能か否か判断する。この判断が肯定の場合（ＳＴ２１のＹＥＳ）、ＳＴ２２に移動する。ＳＴ２２では、内蔵電源を選択し、外部電源を接続しない。ここで、標準仕様外のアンテナを選択する場合でも、ＳＴ２１の判断が肯定の場合には、外部電源を接続しなくてよい。
【００５１】
この判断が否定の場合には、複数の外部電源の中から、ＳＴ１４で計算した電源容量に十分な外部電源を選定する。以上のＳＴ２３、ＳＴ２４により、アンテナに必要な電源を選定することができる。
【００５２】
なお、図３の説明では、ＳＴ１１で、複数の外部電源を用意するとしたが、ＳＴ１２での調査状況、その他の要因により、複数でなく、単数の外部電源を用意する実施形態も可能である。
【００５３】
図３のＳＴ１２では、本発明の実施形態としては、必ずしも上記規格に適合する必要はない。ＳＴ１２で、規格に適合しない場合でも、「ユーザが購入したアンテナ２に合わせて」、アンテナ２に供給する電源容量を調整できる。その結果、ＳＴＢ１に合わせてアンテナ２を選択するのではないから、内部電源５の制約を受けずにアンテナを選択できる。
【００５４】
また、本発明の実施形態としては、チューナブロック４は、放送信号を入力して何らかの処理を行っていれば良く、その出力は何であってもよい。例えば、トランスボートストリームであってもよいし、映像信号、音声信号であってもよい。映像信号、音声信号はデジタルでもアナログでもよい。
【００５５】
次に、図４を用いて、ＳＴＢ１を含む受信システムの販売方法について説明する。図４は、インターネット上で受信システムを販売する際のカタログ７を表わしている。このカタログ７には、販売する商品７１〜７３と、チェックマーク７４と、商品の注意書き７７と、アイコン７８を表示する。ユーザは、所定のホームページにアクセスすると、インターネットの画面に、カタログ７が表示される。カタログ７には、各商品７１〜７３に付したチェックマーク７４が付されており、各商品７１〜７３にチェックを入れることで、購入したい各商品７１〜７３の選択を受け付ける。その上で、アイコン（会計へ）７８を押すと、選択された商品の合計金額が合算される。
【００５６】
ユーザは、カタログ７から、受信装置ＦＴ１（ＦＴ１は、受信装置の型番と仮定する。）と、その他のオプションの商品を選択できる。商品（標準アンテナ）７２を選択した場合には、内蔵電源５を使用することができる。また、商品（アンテナ用外部電源）については、図４に示すように、ＳＴＢ１のメーカーが複数種類、用意して、選択できるようにしてもよい。また、アンテナの販売状況に応じて、メーカーが１種類だけ用意してもよい。
【００５７】
さらに、注意書き７７の＃１に示すように、内蔵電源のみを使用した場合には、内蔵電源でのアンテナへの供給可能ワット数を表示する。同時に、＃３において、標準アンテナ以外のアンテナ、例えば、他社のアンテナを使用する場合であって、外部電源を使用すべき旨を記載する。この場合に、適用可能な外部電源と他社アンテナの対応表を表示してもよい。
【００５８】
このような販売方法により、ＳＴＢ１のメーカーは、標準アンテナを使用する限りは、所定の規格、例えば、エナジースターを遵守することができる。一方、ユーザは、別途購入したアンテナに合わせて、外部電源を選択することができ、ＤＣジャック３に接続することができる。したがって、ユーザは、内蔵電源５の制約を受けることが少なく、より自由にアンテナを選択できる。
【００５９】
以上の実施形態について補足する。
【００６０】
図１（Ａ）で、表示パネル１１０、複数の操作ボタン１１１、電源ボタン１１２を備えているとしたが、これらは本発明の実施形態として、ＳＴＢ１が電源をアンテナ２に供給する上で、必須ではない。単にＳＴＢ１の使い勝手の面から、一般に備えている装置を例示したものである。これらがなくても、アンテナに電源を供給することは可能である。また、電源ボタン１１２がなくても、電源プラグ１２を商用電源に接続すると、直ちにＳＴＢ１を起動する構成も可能である。
【００６１】
図４では、インターネット上で販売する例を示したが、単に、紙のカタログ、店頭チラシに記載し、店頭で商品の注文を受け付けてもよい。
【００６２】
以上の説明では、ＤＣプラグが機械的に接点を切り換えことにより、内部電源、外部電源をを切り換えるとしたが、トランジスタ、ＦＥＴ等の電気回路を応用して電気的に切り換えるようにしてもよい。この場合、ＳＴＢ１内部の設定をユーザから受け付けることにより、電源入力を切り換えてもよい。
【図面の簡単な説明】
【００６３】
【図１】本発明の実施形態のセットトップボックスの構成図である。
【図２】本発明の実施形態のセットトップボックスに用いるＤＣジャック、ＤＣプラグの例を示す。
【図３】本発明の実施形態のセットトップボックスに用いる電源の選択方法を表わすフロー図である。
【図４】本発明の実施形態のセットトップボックスを含む受信システムの販売方法を表わす図である。
【符号の説明】
【００６４】
１−セットトップボックス（ＳＴＢ）、
１１０−表示パネル、  １１１−操作ボタン、  １１２−電源ボタン、
１２−電源プラグ、  １３−第１電源ケーブル、
１４−Ｆコネクタ、  １５−第１ダイオード、  １６−端子、
１７−第２ダイオード、  １８−コンデンサー、  １９−経路、
２−アンテナ、  Ｐ−端子、  Ｂ−端子、  Ｓ−端子、  Ｇ−グラウンド、
３−ＤＣジャック（電源入力部）、  ３０−つば部、  ３１−本体、
３２−内部端子、  ３３−接点、
４−チューナブロック（メインブロック）、  ５−内蔵電源、
７−カタログ、  ７１−商品（受信装置）、  ７２−商品（標準アンテナ）、
７３−商品（アンテナ用外部電源）、  ７４−チェックマーク、  ７５−電源、
７６−電源、  ７７−注意書き、  ７８−アイコン、
１０１−ＡＣアダプタ、  １０２−電源プラグ、  １０３−ＤＣプラグ、
１０４−第２電源ケーブル、  １０６−本体、  １０７−円筒部、
１０８−端子、  １０９−端子
【図１】
2009105742.tif 000003
【図２】
2009105742.tif 000004
【図３】
2009105742.tif 000005
【図４】
2009105742.tif 000006